(57)【要約】【課題】コストを抑えつつ労働負担を抑えて土のうを製作することができる土採取用筒を提供する。【解決手段】土採取用筒１は、筒体１０と、筒体１０の側面１０ａに設けられた取っ手２０とを備えている。筒体１０は筒状に形成されており、前端に土を掬って内部１０ｂに入れるための採取口１１が設けられ、後端に内部１０ｂの土を外部に排出するための排出口１２が設けられている。取っ手２０は、筒体１０の後端側から土のう袋１００が被せられた状態で土のう袋１００と一緒に掴むことが可能なように形成されている。【選択図】図１
0003192779.tif 000002
【実用新案登録請求の範囲】
【請求項１】
筒状に形成されて、前端に土を掬って内部に入れるための採取口が設けられ、後端に内部の土を外部に排出するための排出口が設けられた筒体と、
前記筒体の側面に設けられ、前記筒体の後端側から土のう袋が被せられた状態で当該土のう袋と一緒に掴むことが可能な取っ手と
を備えることを特徴とする土採取用筒。
【請求項２】
請求項１に記載の土採取用筒において、
前記採取口を、前記取っ手を上側にした状態で側方から視たときに上端から前方且つ下方へ向けて斜めに形成したことを特徴とする土採取用筒。
【請求項３】
請求項１または請求項２に記載の土採取用筒において、
当該土採取用筒の後部を、当該土採取用筒の後端側から前記土のう袋が被せられるときに当該土のう袋との干渉を防ぐように形成したことを特徴とする土採取用筒。
【請求項４】
請求項１〜請求項３のいずれか１項に記載の土採取用筒において、
前記筒体の前記側面に開口部を設け、前記取っ手を当該開口部を跨いで前記側面に設けたことを特徴とする土採取用筒。
【請求項５】
請求項１〜請求項４のいずれか１項に記載の土採取用筒において、
前記取っ手を、土が入った前記土のう袋と一緒に掴んだ状態から握りを緩めることにより当該土のう袋が前記土採取用筒から分離可能なように形成したことを特徴とする土採取用筒。
【考案の詳細な説明】
【技術分野】
【０００１】
本考案は、例えば農業においてマルチシートの重しに使用する土のうを製作するときに使用する土採取用筒に関する。
【背景技術】
【０００２】
カンキツ、特に温州みかんの栽培では樹の株元をマルチシートで覆って雨水の流入を遮断し、樹の水分状態を制御するマルチシートを用いた栽培が行われている。この栽培方法では、高い糖度の果実を生産することができ、カンキツ産地に広く普及している。
【０００３】
マルチシートは、ヘアピン抗などの固定具で地面に固定するが、さらに風による捲くれや破損を防ぐため、マルチシートをブロック、石、レンガ、瓦、土のうなどの重量物（重し）で押さえることが多い。これらは、マルチシートの張り替え時には移動・撤去する必要がある。このため、ある程度の重さがありつつも容易に移動・撤去できるものである必要がある。
【０００４】
マルチシートを用いた栽培で重量物として土のうを用いる場合、通常４〜５ｋｇ程度のものが利用しやすい。土のうは平方メートルあたり１〜２個程度は必要なので、１園地あたり土のうを数百個以上製作する必要がある。また、土のうの破損の際には、その都度追加して土のうを製作しなければならない。
【０００５】
土のうの製作は２人で行う場合、１人が土のう袋（土を入れるための袋）を広げて持ち、もう１人がスコップで土のう袋に土を入れて土のうが出来上がる。従来から、土のう袋に土を入れやすくするために、土のう袋を保持する容器やスタンド等の補助具が提案されている（例えば特許文献１、２参照）。
【先行技術文献】
【特許文献】
【０００６】
【特許文献１】特開２０１３−２４０２５号公報
【特許文献２】特開２０１３−２２６７号公報
【考案の概要】
【考案が解決しようとする課題】
【０００７】
特許文献１、２に開示されている補助具は、土のう袋を保持して土を入れやすいようにするものであるが、スコップで土を掬って土のう袋に入れる作業自体には変化がない。このため、土のう製作者の中腰姿勢や屈伸動作の頻度は改善できない。そこで、大型機械を用いて土のうを製作することも考えられるが、コストがかかりすぎるという問題がある。
【０００８】
本考案は、このような従来の課題に鑑みてなされたものであり、コストを抑えつつ労働負担を抑えて土のうを製作することができる土採取用筒を提供することを目的とする。
【課題を解決するための手段】
【０００９】
本考案者等は、鋭意研究の結果、前記課題を解決するために以下のような土採取用筒を採用した。
【００１０】
本考案の土採取用筒は、筒状に形成されて、前端に土を掬って内部に入れるための採取口が設けられ、後端に内部の土を外部に排出するための排出口が設けられた筒体と、前記筒体の側面に設けられ、前記筒体の後端側から土のう袋が被せられた状態で当該土のう袋と一緒に掴むことが可能な取っ手とを備えることを特徴とする。
【００１１】
また、本考案の土採取用筒において、前記採取口を、前記取っ手を上側にした状態で側方から視たときに上端から前方且つ下方へ向けて斜めに形成することが好ましい。
【００１２】
また、本考案の土採取用筒において、当該土採取用筒の後部を、当該土採取用筒の後端側から前記土のう袋が被せられるときに当該土のう袋との干渉を防ぐように形成することが好ましい。
【００１３】
また、本考案の土採取用筒において、前記筒体の前記側面に開口部を設け、前記取っ手を当該開口部を跨いで前記側面に設けることが好ましい。
【００１４】
また、本考案の土採取用筒において、前記取っ手を、土が入った前記土のう袋と一緒に掴んだ状態から握りを緩めることにより当該土のう袋が前記土採取用筒から分離可能なように形成することが好ましい。
【考案の効果】
【００１５】
本考案の土採取用筒では、採取口および排出口が設けられた筒体と、筒体の後端側から土のう袋が被せられた状態で土のう袋と一緒に掴むことが可能な取っ手とを備えたものとした。これにより土のう製作者は、土採取用筒と土のう袋とを一体化させて土を掬うことにより、機械やスコップを使用しなくても土のう袋に土を入れることが可能になる。したがって、土のう製作者は、土のう袋に土を入れるときに中腰姿勢や屈伸動作の頻度を従来よりも少なくすることができる。よって、本考案の土採取用筒は、コストを抑えつつ労働負担を抑えて土のうを製作することができる。
【図面の簡単な説明】
【００１６】
【図１】本考案の一実施の形態の土採取用筒の斜視図である。
【図２】同実施の形態の土採取用筒の左側面図である。
【図３】同実施の形態の土のう製作方法の手順を示す説明図である。
【図４】別の実施の形態の土採取用筒の左側面図である。
【図５】別の実施の形態の土採取用筒の左側面図である。
【考案を実施するための形態】
【００１７】
以下、本考案の実施の形態を図に従って説明する。
【００１８】
図１は、本考案の一実施の形態の土採取用筒１の斜視図である。図２は、土採取用筒１の左側面図である。この土採取用筒１は、農業においてマルチシート（図示せず）の重しに使用する土のう１０１（図３の（ｃ）参照）を製作するときに使用するものである。この土採取用筒１は塩化ビニル製のものであり、筒体１０と、筒体１０の側面１０ａに設けられた取っ手２０とを備えている。なお、土採取用筒１の材質は必ずしも塩化ビニル製でなくても良い。
【００１９】
筒体１０は筒状に形成されており、前端に土を掬って内部１０ｂに入れるための採取口１１が設けられ、後端に内部１０ｂの土を外部に排出するための排出口１２が設けられている。
【００２０】
採取口１１は、取っ手２０を上側にした状態で側方から視たときに上端から前方且つ下方へ向けて斜めに形成されている。なお、採取口１１の傾斜角度αは筒体１０の底部１０ｃに対して３０度程度が好ましい。
【００２１】
筒体１０の側面１０ａの上側部分には、矩形状の開口部１３が設けられている。この開口部１３には平板状の台座１４が前後に架け渡されており、台座１４の前後側は側面１０ａに固定されている。この台座１４は、その前端が採取口１１の上端へ向けられて筒体１０の前後方向Ａに沿うように配置されている。
【００２２】
取っ手２０は、台座１４に取り付けられており、これにより筒体１０の開口部１３を跨いで側面１０ａに設けられている。この取っ手２０は、筒体１０の後端側から土のう袋１００（二点鎖線で図示）が被せられた状態で土のう袋１００と一緒に掴むことが可能なように形成されている。さらに、この取っ手２０は、土が入った土のう袋１００と一緒に掴んだ状態から握りを緩めることにより土のう袋１００が土採取用筒１から分離可能なように形成されている。
【００２３】
具体的に説明すると、この取っ手２０は、筒体１０の前部から後部にかけて前後方向Ａに長い半円筒状に形成されており、前後端が開口している。さらに、この取っ手２０は、前端２０ａが採取口１１の上端へ向けられて筒体１０の前後方向Ａに沿うように配置されており、両下端が台座１４に固定されている。
【００２４】
また、取っ手２０の後端２０ｂは、側方から視たときに上端から後方且つ下方へ向けて斜めに形成されている。取っ手２０の後端２０ｂが斜めに形成されていることで、土採取用筒１の後部１ａは、土採取用筒１の後端側から土のう袋１００が被せられるときに土のう袋１００との干渉を防ぐように形成されている。
【００２５】
以上のように構成されている土採取用筒１において、土採取用筒１を使用した土のう製作方法について図３を用いて説明する。
【００２６】
最初に、図３の（ａ）に示すように、土のう製作者（手Ｃのみ図示）は、土採取用筒１の後端側から土のう袋１００を被せて土のう袋１００を取っ手２０と一緒に掴み、この状態で採取口１１から土Ｂを掬って筒体１０の内部１０ｂに入れる。
【００２７】
次に、図３の（ｂ）に示すように、土のう製作者は、筒体１０の内部１０ｂの土Ｂを排出口１２から外部に排出して土のう袋１００内に入れる。土のう製作者は、土のう袋１００内に適量の土Ｂが入るまで図３の（ａ）→（ｂ）の作業を繰り返し行う。
【００２８】
続いて、土のう製作者は、土のう袋１００内に適量の土Ｂが入ったら、土のう袋１００を被せてある取っ手２０を握る手Ｃを軽く緩める。これにより土のう１０１は土Ｂ自体の重さによって落下して土採取用筒１から分離する。最後に、土のう製作者は、図３の（ｃ）に示すように、適量の土Ｂが入った土のう袋１００を閉じて土のう１０１を完成させる。なお、図３の（ｂ）、（ｃ）では、説明の理解を容易にするために土のう袋１００内の土Ｂを実線で示している。
【００２９】
以上説明したように本実施の形態の土採取用筒１では、採取口１１および排出口１２が設けられた筒体１０と、筒体１０の後端側から土のう袋１００が被せられた状態で土のう袋１００と一緒に掴むことが可能な取っ手２０とを備えたものとした。
【００３０】
このため、土のう製作者は、土採取用筒１と土のう袋１００とを一体化させて土Ｂを掬うことにより、機械やスコップを使用しなくても土のう袋１００に土Ｂを入れることが可能になる。したがって、土のう製作者は、土のう袋１００に土Ｂを入れるときに中腰姿勢や屈伸動作の頻度を従来よりも少なくすることができる。よって、本実施の形態の土採取用筒１は、コストを抑えつつ労働負担を抑えて土のう１０１を製作することができる。
【００３１】
また、本実施の形態の土採取用筒１は、土のう製作者の労働負担を抑えるようにしたことから、土のう１０１製作の初心者、女性、高齢者であっても、この土採取用筒１を使用すれば、土のう１０１を容易に製作することができる。
【００３２】
また、本実施の形態の土採取用筒１では、採取口１１を、取っ手２０を上側にした状態で側方から視たときに上端から前方且つ下方へ向けて斜めに形成した。
【００３３】
このため、土のう製作者は、採取口１１を土Ｂの中に挿入しやすくなるので土Ｂを容易に掬うことができる。よって、本実施の形態の土採取用筒１は、土のう１０１製作の作業効率を上げることができる。
【００３４】
また、本実施の形態の土採取用筒１では、土採取用筒１の後部１ａを、土採取用筒１の後端側から土のう袋１００が被せられるときに土のう袋１００との干渉を防ぐように形成した。
【００３５】
このため、土のう製作者は、土採取用筒１に土のう袋１００を容易に被せることが可能になるので、土のう袋１００に土Ｂを入れる作業をすぐに開始することができる。よって、本実施の形態の土採取用筒１は、土のう１０１製作の作業効率をさらに上げることができる。
【００３６】
また、本実施の形態の土採取用筒１では、筒体１０の側面１０ａに開口部１３を設け、取っ手２０を開口部１３を跨いで側面１０ａに設けた。
【００３７】
このため、土のう製作者は、図３の（ａ）→（ｂ）に示すように、土のう袋１００と一緒に取っ手２０を掴むときに手Ｃが筒体１０の開口部１３内に位置する。このため、手Ｃが筒体１０の側面１０ａと干渉するのが抑えられる。したがって、土のう製作者は、土Ｂを容易に掬って筒体１０の内部１０ｂに入れることが可能になるので、土のう袋１００に土Ｂを入れる時間を短縮することができる。よって、本実施の形態の土採取用筒１は、土のう１０１製作の作業効率をさらに上げることができる。
【００３８】
また、本実施の形態の土採取用筒１では、筒体１０の側面１０ａに、平板状の台座１４を開口部１３に架け渡して設けた。これにより筒体１０は、開口部１３が設けられていても台座１４により補強されるので耐久性を高めることができる。また、取っ手２０を台座１４に取り付けることにより開口部１３を跨いで側面１０ａに設けるようにした。このため、取っ手２０の取り付け部分が台座１４により平坦状になるので、取っ手２０を開口部１３を跨いで側面１０ａ（曲面）に直接取り付ける場合に比べて、取っ手２０を容易に取り付けることができる。
【００３９】
また、本実施の形態の土採取用筒１では、取っ手２０を、土が入った土のう袋１００と一緒に掴んだ状態から握りを緩めることにより土のう袋１００が土採取用筒１から分離可能なように形成した。したがって、土のう製作者は、土のう袋１００に土Ｂを入れ終わった後に土のう袋１００を土採取用筒１から分離するのに要する時間を短縮することが可能になる。よって、本実施の形態の土採取用筒１は、土のう１０１製作の作業効率をさらに上げることができる。
【００４０】
また、本実施の形態の土採取用筒１を用いた土のう１０１製作方法では、土採取用筒１の後端側から土のう袋１００を被せて土のう袋１００を取っ手２０と一緒に掴み、この状態で採取口１１から土Ｂを掬って筒体１０の内部１０ｂに入れ、筒体１０の内部１０ｂの土Ｂを排出口１２から外部に排出して土のう袋１００内に入れて土のう袋１００を閉じて土のう１０１を製作した。
【００４１】
したがって、土のう製作者は、機械やスコップを使用せずに土のう１０１を製作することが可能になる。よって、本実施の形態の土のう１０１製作方法は、コストを抑えつつ労働負担を抑えて土のう１０１を製作することができる。
【００４２】
また、本実施の形態の土のう１０１製作方法では、土採取用筒１と土のう袋１００とを一体化させて土Ｂを掬うようにしたので、土のう製作者が単独で土のう１０１を製作することが可能になる。よって、本実施の形態の土のう１０１製作方法は、土のう１０１を効率良く製作することができる。
【００４３】
以上、本考案にかかる実施の形態を例示したが、この実施の形態は本考案の内容を限定するものではない。また、本考案の請求項の範囲を逸脱しない範囲であれば、各種の変更等は可能である。
【００４４】
例えば、本実施の形態の土採取用筒１では、筒体１０の側面１０ａに開口部１３を設け、取っ手２０を開口部１３を跨いで設けたが、取っ手２０の設置方法は本実施の形態に限定しなくても良い。
【００４５】
例えば、図４に示す土採取用筒２０１のように、筒体２１０の側面２１０ａに開口部を設けずに、取っ手２２０と筒体２１０の側面２１０ａとの間に空間Ｓが形成されるように取っ手２２０を下方へ開口したコ字型（Ｕ字型）等に形成し、取っ手２２０の下端を筒体２１０の側面２１０ａに固定しても良い。
【００４６】
この場合に土のう製作者は、土のう袋１００（二点鎖線で図示）と一緒に取っ手２２０を掴むときに手Ｃ（図３参照）が空間Ｓ内に位置する。このため、手Ｃが筒体２１０の側面２１０ａと干渉するのが抑えられる。したがって、土のう製作者は、この土採取用筒２０１で土Ｂ（図３参照）を容易に掬って筒体２１０の内部２１０ｂに入れることが可能になる。よって、この土採取用筒２０１は、本実施の形態の土採取用筒１と同様に、土のう１０１（図３参照）製作の作業効率を上げることができる。
【００４７】
また、取っ手２２０の後端を、例えば本実施の形態の取っ手２０の後端２０ｂ（図２参照）のように斜めに形成することにより、土採取用筒２０１の後部を、土のう袋１００が被せられるときに土のう袋１００との干渉を防ぐように形成しても良い。
【００４８】
また、図５に示す土採取用筒３０１のように、取っ手３２０の後側の部分３２０ａが筒体３１０の後方に位置するように取っ手３２０を筒体２１０の側面２１０ａに固定しても良い。
【００４９】
この場合に土のう製作者は、土のう袋１００（二点鎖線で図示）と一緒に取っ手３２０の後側の部分３２０ａを掴むときに手Ｃ（図３参照）が筒体２１０から離れて位置する。このため、手Ｃが筒体２１０と干渉するのが抑えられる。したがって、土のう製作者は、この土採取用筒３０１で土Ｂ（図３参照）を容易に掬って筒体２１０の内部２１０ｂに入れることが可能になる。よって、この土採取用筒３０１は、本実施の形態の土採取用筒１と同様に、土のう１０１（図３参照）製作の作業効率を上げることができる。なお、図４と図５において図２と同様な部分には同じ符号を付している。
【００５０】
また、本実施の形態では、農業に使用する土のう１０１を製作するときに本考案を適用した場合を説明したが、農業以外の用途（土木工事等）に本考案を適用しても良い。
【産業上の利用可能性】
【００５１】
以上説明したように本考案の土採取用筒は、コストを抑えつつ労働負担を抑えて土のうを製作することができる。したがって、本考案の土採取用筒を土のう製作の技術分野で十分に利用できる。
【符号の説明】
【００５２】
１、２０１、３０１    土採取用筒
１ａ    後部
１０、２１０    筒体
１０ａ、２１０ａ    側面
１０ｂ、２１０ｂ    内部
１１    採取口
１２    排出口
１３    開口部
２０、２２０、３２０    取っ手
１００    土のう袋
１０１    土のう
Ｂ    土
【図１】
0003192779.tif 000003
【図２】
0003192779.tif 000004
【図３】
0003192779.tif 000005
【図４】
0003192779.tif 000006
【図５】
0003192779.tif 000007
【手続補正書】
【提出日】平成26年6月30日(2014.6.30)
【手続補正１】
【補正対象書類名】実用新案登録請求の範囲
【補正対象項目名】請求項３
【補正方法】変更
【補正の内容】
【請求項３】
請求項１または請求項２に記載の土採取用筒において、
前記取っ手の後端を側方から視たときに上端から後方且つ下方へ向けて斜めに形成したことを特徴とする土採取用筒。
【手続補正２】
【補正対象書類名】明細書
【補正対象項目名】００１２
【補正方法】変更
【補正の内容】
【００１２】
また、本考案の土採取用筒において、前記取っ手の後端を側方から視たときに上端から後方且つ下方へ向けて斜めに形成することが好ましい。